(57)【特許請求の範囲】
【請求項１】
遮断器（１００）用、好ましくは電子遮断器用の測定センサ（１０）の製造方法であって、
−  一次導体（Ｒ、Ｓ、Ｔ、Ｎ）が通過できるコアを含みかつこのコアの周りに巻回された第１の導体を含む電流測定ユニット（１２）、一次導体（Ｒ、Ｓ、Ｔ、Ｎ）が通過できる変流器（１４）、一次導体（Ｒ、Ｓ、Ｔ、Ｎ）内に生じる電位を測定するために一次導体（Ｒ、Ｓ、Ｔ、Ｎ）に接続され得る電圧測定ユニット（１６）、および不揮発性メモリ（２０）を含むデータ管理ユニット（１８）を準備するステップと、
−  一次導体（Ｒ、Ｓ、Ｔ、Ｎ）内で誘導された電流との関係における第１の導体内で誘導された電流の位相差、および一次導体（Ｒ、Ｓ、Ｔ、Ｎ）内で誘導された電圧との関係における電圧測定ユニット（１６）内で誘導された電圧の位相差を決定すること、一次導体（Ｒ、Ｓ、Ｔ、Ｎ）内で誘導された電流との関係における第１の導体内で誘導された電流の増加の割合を決定すること、および一次導体（Ｒ、Ｓ、Ｔ、Ｎ）内で誘導された電圧との関係における電圧測定ユニット（１６）内で誘導された電圧の増加の割合を決定することからなる、測定センサ（１０）の特徴付けステップと、
−  測定センサ（１０）の特徴付けステップで決定された位相差を表わすデータ、電流の増加の割合を表わすデータおよび電圧の増加の割合を表わすデータを不揮発性メモリ（２０）内に記録することからなる、データ管理ユニット（１８）のパラメータ化ステップ、
という連続ステップを含むことを特徴とする方法。
【請求項２】
測定センサの特徴付けステップにおいて、一次導体（Ｒ、Ｓ、Ｔ、Ｎ）を、コアを通り抜けて通過させ、前記一次導体（Ｒ、Ｓ、Ｔ、Ｎ）に対し既知の位相の交流電流を与え、第１の導体内で誘導された電流の合計位相を測定し、測定された合計位相から既知の位相を減算することによって、位相差が決定されることを特徴とする、請求項１に記載の遮断器（１００）用の測定センサ（１０）の製造方法。
【請求項３】
測定センサの特徴付けステップにおいて、電流の増加の割合が、一次導体（Ｒ、Ｓ、Ｔ、Ｎ）に対し既知の強度の電流を与え、一次導体（Ｒ、Ｓ、Ｔ、Ｎ）内で誘導された電流の強度を測定し、一次導体（Ｒ、Ｓ、Ｔ、Ｎ）内で誘導された電流の強度を、強度が既知である電流の強度により除算することによって決定されること、および測定センサの特徴付けステップにおいて、電圧の増加の割合が、一次導体（Ｒ、Ｓ、Ｔ、Ｎ）に対して既知の電圧を印加し、電圧測定ユニット（１６）内で誘導された電圧を測定し、電圧測定ユニット（１６）内で誘導された電圧を電圧が既知である電流の電圧により除算することによって決定されることを特徴とする、請求項１または２に記載の遮断器（１００）用の測定センサ（１０）の製造方法。
【請求項４】
請求項１〜３のいずれか１つに記載の遮断器（１００）用の測定センサ（１０）の製造方法にしたがった、測定センサ（１０）の製造を含む、遮断器（１００）の製造方法であって、
−  制御ユニット（６２）を含むアクチュエータ（６０）を準備するステップと、
−  制御ユニット（６２）が、データ管理ユニット（１８）の不揮発性メモリ（２０）から、位相差を表わすデータおよび／または電流の増加の割合を表わすデータおよび／または電圧の増加の割合を表わすデータを取り出すことができるように、データ管理ユニット（１８）を制御ユニット（６２）に電気的に接続することからなる、データ管理ユニット（１８）と制御ユニット（６２）を対にするステップ、
という連続ステップをさらに含むことを特徴とする、製造方法。
【請求項５】
一次導体（Ｒ、Ｓ、Ｔ、Ｎ）が通過できるコアおよびコアの周りに巻回された第１の導体を含む少なくとも１つの電流測定ユニット（１２）、一次導体（Ｒ、Ｓ、Ｔ、Ｎ）が通過できる変流器（１４）、および不揮発性メモリ（２０）を含むデータ管理ユニット（１８）を含む、遮断器（１００）用、好ましくは電子遮断器用の測定センサであって、
測定センサ（１０）が、一次導体（Ｒ、Ｓ、Ｔ、Ｎ）内に生じる電位を測定するために一次導体（Ｒ、Ｓ、Ｔ、Ｎ）に接続され得る電圧測定ユニット（１６）を含むこと、および、測定ユニットが請求項１〜３のいずれか１つに記載の方法を用いて製造されることを特徴とする、測定センサ。
【請求項６】
コアおよびコアの周りに巻回された第１の導体がロゴスキーコイルを構成することを特徴とする、請求項５に記載の遮断器（１００）用の測定センサ。
【請求項７】
請求項５または６に記載の測定センサ（１０）を含む遮断器であって、制御ユニット（６２）を含むアクチュエータ（６０）をさらに含み、制御ユニット（６２）がデータ管理ユニット（１８）の不揮発性メモリ（２０）から、位相差を表わすデータおよび／または電流の増加の割合を表わすデータおよび／または電圧の増加の割合を表わすデータを取り出すことができるように、データ管理ユニット（１８）が好ましくは制御ユニット（６２）に電気的に接続されていることを特徴とする、遮断器。
【請求項８】
制御ユニット（６２）が少なくとも１つのマイクロコントローラ（６６）および好ましくは不揮発性の少なくとも１つのメモリ（６４）を含み、マイクロコントローラ（６６）は好ましくは、位相差を表わすデータおよび／または電流の増加の割合を表わすデータおよび／または電圧の増加の割合を表わすデータを、制御ユニット（６２）のメモリ（６４）内に保存することができることを特徴とする、請求項７に記載の遮断器。
【請求項９】
請求項７または８に記載の遮断器（１００）の制御方法であって、
−  制御ユニット（６２）のマイクロコントローラ（６６）によりデータ管理ユニット（１８）の不揮発性メモリ（２０）から、位相差を表わすデータおよび／または電流の増加の割合を表わすデータおよび／または電圧の増加の割合を表わすデータを取り出すステップと、
−  位相差を表わすデータおよび／または電流の増加の割合を表わすデータおよび／または電圧の増加の割合を表わすデータを、制御ユニット（６２）のメモリ（６４）内に保存するステップと、
−  位相差を表わすデータおよび／または電流の増加の割合を表わすデータおよび／または電圧の増加の割合を表わすデータに応じて、少なくとも１つの第１の引外し閾値を決定することからなる制御ユニット（６２）の校正ステップと、
−  電流測定ユニット（１２）により測定された電流が第１の引外し閾値より大きい場合に、アクチュエータ（６０）が引外される作動ステップ、
という連続ステップを含むことを特徴とする、制御方法。
【請求項１０】
作動ステップにおいて、制御ユニット（６２）が、規則的な時間的間隔でかつ永続的に、制御ユニット（６２）がデータ管理ユニット（１８）に電気的に接続されていることを確認し、制御ユニット（６２）とデータ管理ユニット（１８）間の連係が中断された場合には、非常時作動モードに移行することを特徴とする、請求項９に記載の制御方法。
【請求項１１】
非常時作動モードにおいて、アクチュエータ（６０）が引外されることを特徴とする、請求項１０に記載の制御方法。
【請求項１２】
非常時作動モードにおいて、ユーザは、好ましくは制御ユニット上に配設されている標示灯を用いて、制御ユニット（６２）とデータ管理ユニット（１８）間の連係の中断についての警告を受けることを特徴とする、請求項１０に記載の制御方法。
【請求項１３】
非常時作動モードにおいて、制御ユニット（６２）とデータ管理ユニット（１８）の間の連係の状態を表わす情報を含むメッセージが、制御ユニット（６２）のエミッタを用いて、好ましくは視覚化装置に宛てて発出されることを特徴とする、請求項１０に記載の制御方法。
【発明の詳細な説明】
【技術分野】
【０００１】
本発明は、遮断器の分野に関し、遮断器用の測定センサの製造方法、遮断器用の測定センサ、このような測定センサを含む遮断器、ならびにこのような遮断器の制御方法に関する。
【背景技術】
【０００２】
先行技術の遮断器は、概して、一次導体内を伝播する電流および／または電圧を表わす信号を提供し、かつこの信号を前記遮断器のアクチュエータの電子機器に対し供給することを可能にする単数または複数の電流センサを含む。アクチュエータを正確に引外すために、前記電子機器は、遮断器の組立ての際にこの信号に応じて校正される。
【０００３】
先行技術から既知のこれらの遮断器は、同一の生産ライン上に遮断器の組立ておよび電気機器を伴う遮断器のセンサ全体の校正をまとめなければならない、という欠点を有する。
【発明の概要】
【発明が解決しようとする課題】
【０００４】
本発明の目的は、組立て時の遮断器の校正を容易にする遮断器用の測定センサの製造方法を提案することにある。
【課題を解決するための手段】
【０００５】
このために、本発明は、遮断器用、好ましくは電子遮断器用の測定センサの製造方法において、
−  一次導体が通過できるコアを含みかつこのコアの周りに巻回された第１の導体を含む電流測定ユニット、一次導体が通過できる変流器、一次導体内に生じる電位を測定するために一次導体に接続され得る電圧測定ユニット、および不揮発性メモリを含むデータ管理ユニットを準備するステップと、
−  一次導体内で誘導された電気信号との関係における第１の導体内で誘導された電気信号の位相差、および一次導体内で誘導された電気信号との関係における電圧測定ユニット内で誘導された電気信号の位相差を決定すること、一次導体内で誘導された電気信号との関係における第１の導体内で誘導された電気信号の電流利得を決定すること、および一次導体内で誘導された電気信号との関係における電圧測定ユニット内で誘導された電気信号の電圧利得を決定することからなる、測定センサの特徴付けステップと、
−  測定センサの特徴付けステップで決定された位相差を表わすデータ、電流利得を表わすデータおよび電圧利得を表わすデータを不揮発性メモリ内に記録することからなる、データ管理ユニットのパラメータ化ステップ、
という連続ステップを含む方法を提案している。
【０００６】
前記方法は、単純な形でかつ好ましくは自動的に、遮断器のアクチュエータの制御ユニットと共にセンサを校正および／または対にすることを可能にするという利点を有する。
【０００７】
１つの可能性によると、該製造方法は、測定センサの特徴付けステップにおいて、一次導体を、コアを通り抜けて通過させ、前記一次導体に対し既知の位相差交流電流を与え、第１の導体内で誘導された電流の合計位相差を測定し、測定された合計位相差から既知の位相差を減算することによって、位相差が決定されることを特徴とする。
【０００８】
これらの特徴には、結び付けられた単数または複数の異なるセンサと共に引外し装置を校正することを容易にするという利点がある。
【０００９】
考えられる追加の特徴によると、該製造方法は、測定センサの特徴付けステップにおいて、一次導体に対し既知の強度の電流を与え、一次導体内で誘導された電流の強度を測定し、一次導体内で誘導された電流の強度を、強度が既知である電流の強度により除算することによって電流利得が決定されること、および測定センサの特徴付けステップにおいて、一次導体に対して既知の電圧を印加し、電圧測定ユニット内で誘導された電圧を測定し、電圧測定ユニット内で誘導された電圧を、電圧が既知である電流の電圧により除算することによって電圧利得が、決定されることを特徴とする。
【００１０】
これらの特徴は、引外し装置および異なるセンサの校正を容易にするという利点を有する。
【００１１】
本発明はまた、本発明に係る遮断器用の測定センサの製造方法にしたがった、測定センサの製造を含む遮断器の製造方法をも目的としており、これにはさらに、
−  制御ユニットを含むアクチュエータを準備するステップと、
−  制御ユニットが、データ管理ユニットの不揮発性メモリから、位相差を表わすデータおよび／または電流利得を表わすデータおよび／または電圧利得を表わすデータを取り出すことができるように、データ管理ユニットを制御ユニットに電気的に接続することからなる、データ管理ユニットと制御ユニットを対にするステップ、
という連続ステップが含まれる。
【００１２】
これらの特徴により、遮断器の組立ての際に自動的に、測定センサおよびアクチュエータ制御ユニットを自動校正することができる。
【００１３】
本発明はまた、一次導体が通過できるコアおよびコアの周りに巻回された第１の導体を含む少なくとも１つの電流測定ユニット、一次導体が通過できる変流器、および不揮発性メモリを含むデータ管理ユニットを含む、遮断器用の測定センサも目的としている。測定センサは、一次導体内に生じる電位を測定するために一次導体に接続され得る電圧測定ユニットを含むこと、および、測定ユニットが本発明に係る方法を用いて製造されることを特徴とする。
【００１４】
一つの可能性によると、コアおよびコアの周りに巻回された第１の導体はロゴスキーコイルを構成する。
【００１５】
本発明はまた、本発明に係る測定センサ、および制御ユニットを含むアクチュエータを含む遮断器において、制御ユニットがデータ管理ユニットの不揮発性メモリから、位相差を表わすデータおよび／または電流利得を表わすデータおよび／または電圧利得を表わすデータを取り出すことができるように、データ管理ユニットが好ましくは制御ユニットに電気的に接続されている遮断器をも目的としている。
【００１６】
１つの可能性によると、制御ユニットは少なくとも１つのマイクロコントローラおよび好ましくは不揮発性の少なくとも１つのメモリを含み、マイクロコントローラは好ましくは、位相差を表わすデータおよび／または電流利得を表わすデータおよび／または電圧利得を表わすデータを、制御ユニットのメモリ内に保存することができる。したがって測定センサと引外し装置の間の、対にすることの保存を行うことが可能である。
【００１７】
本発明はまた、本発明に係る遮断器の制御方法をも目的としている。この制御方法は、それが、
−  制御ユニットのマイクロコントローラによりデータ管理ユニットの不揮発性メモリから、位相差を表わすデータおよび／または電流利得を表わすデータおよび／または電圧利得を表わすデータを取り出すステップと、
−  位相差を表わすデータおよび／または電流利得を表わすデータおよび／または電圧利得を表わすデータを、制御ユニットのメモリ内に保存するステップと、
−  位相差を表わすデータおよび／または電流利得を表わすデータおよび／または電圧利得を表わすデータに応じて、および／またはユーザの調節にしたがって、少なくとも１つの引外し閾値を決定することからなる制御ユニットの校正ステップと、
−  電流測定ユニットにより測定された電流が引外し閾値より大きい場合に、アクチュエータが引外される作動ステップ、
という連続ステップを含むことを特徴とする。
【００１８】
考えられる追加の特徴によると、作動ステップにおいて、制御ユニットは、規則的な時間的間隔でかつ永続的に、制御ユニットがデータ管理ユニットに電気的に接続されていることを確認し、制御ユニットとデータ管理ユニットの間の連係が中断された場合には、非常時作動モードに移行する。
【００１９】
これらの特徴により、遮断器の適正かつ正確な作動の継続性を保証することができる。
【００２０】
１つの可能性によると、非常時作動モードにおいて、アクチュエータは引外される。
【００２１】
こうして遮断器は、制御ユニットとデータ管理ユニット間の連係の中断が検出された時点で直ちに引外しされる。
【００２２】
考えられる追加の特徴によると、非常時作動モードにおいて、ユーザは、好ましくは制御ユニット上に配設されている標示灯を用いて、制御ユニットとデータ管理ユニット間の連係の中断についての警告を受ける。
【００２３】
こうしてユーザは、制御ユニットとデータ管理ユニット間の連係の中断の後に、引外し装置の引き外しにおいて潜在的な機能喪失について知らされる。
【００２４】
考えられる追加の特徴によると、非常時作動モードにおいて、制御ユニットとデータ管理ユニットの間の連係の状態を表わす情報を含むメッセージが、制御ユニットのエミッタを用いて、好ましくは制御ユニットから情報を伝達された、またはされていない視覚化装置に宛てて発出される。
【００２５】
こうしてユーザは、例えば、遮断器および／または制御ユニット上に配設されるかまたはこれらから情報を伝達された可能性のある視覚化装置を用いて、遮断器の偶発的な作動不良について知らされ得る。
【００２６】
本発明は、非限定的な例として示され、添付の概略的図面を参照して説明されている好ましい実施形態に関係する以下の説明から、より良く理解されるものである。
【図面の簡単な説明】
【００２７】
【図１】実施形態に係る４つの測定センサと１つのアクチュエータとを含む実施形態に係る遮断器を概略的に表わしている。
【図２】実施形態に係る測定センサの図を表わす。
【発明を実施するための形態】
【００２８】
図２は、実施形態に係る遮断器１００用の測定センサ１０を開示する。遮断器１００は、好ましくは電子遮断器である。前記遮断器１００は、一次導体Ｒ、Ｓ、Ｔ、Ｎが通過できるコアおよびこのコアの周りに巻回された第１の導体を含む電流測定ユニット１２を含む少なくとも１つの測定センサ１０を含む。測定センサ１０はさらに、同様に一次導体Ｒ、Ｓ、Ｔ、Ｎが通過できる変流器１４、および不揮発性メモリを含むデータ管理ユニット１８を含む。
【００２９】
測定センサ１０は、導体Ｒ、Ｓ、Ｔ、Ｎ内に生じる電位を測定するため、一次導体Ｒ、Ｓ、Ｔ、Ｎに接続され得る電圧測定ユニット１６を含む。
【００３０】
実施形態に係る電流センサ１０は、遮断器１００用の測定センサ１０の製造方法において、
−  一次導体Ｒ、Ｓ、Ｔ、Ｎが通過できるコアを含みかつこのコアの周りに巻回された第１の導体を含む電流測定ユニット１２、一次導体Ｒ、Ｓ、Ｔ、Ｎが通過できる変流器１４、一次導体Ｒ、Ｓ、Ｔ、Ｎ内に生じる電位を測定するために一次導体Ｒ、Ｓ、Ｔ、Ｎに接続され得る電圧測定ユニット１６、および不揮発性メモリ２０を含むデータ管理ユニット１８を準備するステップと、
−  一次導体Ｒ、Ｓ、Ｔ、Ｎ内で誘導された電気信号との関係における第１の導体内で誘導された電気信号の位相差および一次導体Ｒ、Ｓ、Ｔ、Ｎ内で誘導された電気信号との関係における電圧測定ユニット１６内で誘導された電気信号の位相差を決定すること、一次導体Ｒ、Ｓ、Ｔ、Ｎ内で誘導された電気信号との関係における第１の導体内で誘導された電気信号の電流利得を決定すること、および一次導体Ｒ、Ｓ、Ｔ、Ｎ内で誘導された電気信号との関係における電圧測定ユニット１６内で誘導された電気信号の電圧利得を決定することからなる、測定センサ１０の特徴付けステップと、
−  測定センサ１０の特徴付けステップで決定された位相差を表わすデータ、電流利得を表わすデータおよび電圧利得を表わすデータを、不揮発性メモリ２０内に記録することからなる、データ管理ユニット１８のパラメータ化ステップ、
という連続ステップを含む方法を用いて製造される。
【００３１】
好ましくは、コアおよびコアの周りに巻回された第１の導体はロゴスキーコイルを構成する。
【００３２】
１つの可能性によると、遮断器１００用の測定センサ１０の製造方法は、測定センサの特徴付けステップにおいて、一次導体Ｒ、Ｓ、Ｔ、Ｎを、コアを通り抜けて通過させ、前記一次導体Ｒ、Ｓ、Ｔ、Ｎに対し既知の位相差交流電流を与え、第１の導体内で誘導された電流の合計位相差を測定し、測定された合計位相差から既知の位相差を減算することによって、位相差が決定されることを特徴とする。
【００３３】
実施形態に係る遮断器１００用の測定センサ１０の製造方法の考えられる追加の特徴によると、測定センサ１０の特徴付けステップにおいて、電流利得は、一次導体Ｒ、Ｓ、Ｔ、Ｎに対し既知の強度の電流を与え、一次導体Ｒ、Ｓ、Ｔ、Ｎ内で誘導された電流の強度を測定し、一次導体Ｒ、Ｓ、Ｔ、Ｎ内で誘導された電流の強度を、強度が既知である電流の強度により除算することによって決定され、測定センサの特徴付けステップにおいて、電圧利得は、一次導体Ｒ、Ｓ、Ｔ、Ｎに対して既知の電圧を印加し、電圧測定ユニット１６内で誘導された電圧を測定し、電圧測定ユニット１６内で誘導された電圧を既知の電圧により除算することによって決定される。
【００３４】
実施形態はさらに、実施形態に係る測定センサ１０の製造を含む遮断器１００の製造方法に関する。この遮断器の製造方法はさらに、
−  制御ユニット６２を含むアクチュエータ６０を準備するステップと、
−  制御ユニット６２が、データ管理ユニット１８の不揮発性メモリ２０から、位相差を表わすデータおよび／または電流利得を表わすデータおよび／または電圧利得を表わすデータを取り出すことができるように、データ管理ユニット１８を制御ユニット６２に電気的に接続することからなる、データ管理ユニット１８と制御ユニット６２を対にするステップ、
という連続ステップを含む。
【００３５】
実施形態はまた、実施形態に係る少なくとも１つの測定センサ１０を含む遮断器１００、好ましくは電子遮断器にも関する。
【００３６】
好ましくは、遮断器１００は、保護すべき相１つあたり１つの測定センサを含む。遮断器１００は、制御ユニット６２を含むアクチュエータ６０をさらに含む。制御ユニット６２がデータ管理ユニット１８の不揮発性メモリ２０から、位相差を表わすデータおよび／または電流利得を表わすデータおよび／または電圧利得を表わすデータを取り出すことができるように、測定センサ１０のデータ管理ユニット１８は好ましくは制御ユニット６２に電気的に接続されている。
【００３７】
１つの可能性によると、制御ユニット６２は、少なくとも１つのマイクロコントローラ６６および好ましくは不揮発性の少なくとも１つのメモリ６４を含む。マイクロコントローラ６６は好ましくは、位相差を表わすデータおよび／または電流利得を表わすデータおよび／または電圧利得を表わすデータを、制御ユニット６２のメモリ６４内に保存することができる。
【００３８】
特に図１が開示しているように、実施形態に係る遮断器１００は、制御ユニット６２を含む１つのアクチュエータ６０、ならびに実施形態に係る４つの測定センサ１０を含む。遮断器１００の各測定センサ１０の電流測定ユニット１２および変流器１４には、それぞれ、４つの一次導体Ｒ、Ｓ、Ｔ、Ｎのうちの１つが通過している。制御ユニット６２がデータ管理ユニット１８の不揮発性メモリ２０の位相差を表わすデータおよび／または電流利得を表わすデータおよび／または電圧利得を表わすデータを、各測定センサから取出すことができるように、各測定センサ１０のデータ管理ユニット１８は好ましくは、アクチュエータ６０の制御ユニット６２に対し電気的に接続されている。実施形態に係る測定センサ１０の製造方法を用いて、このとき、各々の測定センサ１０は、その不揮発性メモリ２０内に、その位相差を表わすデータ、その電流利得を表わすデータおよびその電圧利得を表わすデータそれぞれを含むことができる。各々の測定センサ１０は、アクチュエータの制御ユニット６２からのこれらのデータの取出しを可能にする能力を有することができる。
【００３９】
特に図２を見れば分かるように、各測定センサ１０の変流器１４は好ましくは、正極１４ａおよび負極１４ｂを含む。各測定センサ１０の電流測定ユニット１２は好ましくは、正極１２ａおよびアナロググラウンド（ＡＧＮＤ）とも呼ばれるアース１２ｂを含む。アース１２ｂは、一方ではデータ管理ユニット１８に、そして他方では電圧測定ユニット１６に接続され得る。データ管理ユニット１８は、一方では通信インタフェース１８ａ、他方では電源１８ｂ（ＶＣＣ）を含む。
【００４０】
電圧測定ユニット１６は、第１の極１６ａと第２の極１６ｂを含み得る。第１の電圧は、第１の極１６ａおよびアース１２ｂすなわちアナロググラウンドに印加され得る。第１の電圧から誘導される第２の極１６ｂ由来の第２の電圧は、データ管理ユニット１８に印加され得る。電圧測定ユニット１６はひと続きの２つの抵抗を含み得、その間に、コンデンサが直列に接続される。
【００４１】
実施形態はまた、実施形態に係る遮断器１００の制御方法にも関する。遮断器１００の制御方法は、
−  制御ユニット６２のマイクロコントローラ６６により、データ管理ユニット１８の不揮発性メモリ２０から、位相差を表わすデータおよび／または電流利得を表わすデータおよび／または電圧利得を表わすデータを取り出すステップと、
−  位相差を表わすデータおよび／または電流利得を表わすデータおよび／または電圧利得を表わすデータを、制御ユニット６２のメモリ６４内に保存するステップと、
−  位相差を表わすデータおよび／または電流利得を表わすデータおよび／または電圧利得を表わすデータに応じて、および／またはユーザの保護調節にしたがって、少なくとも１つの引外し閾値を決定することからなる制御ユニット６２の校正ステップと、
−  電流測定ユニット１２により測定された電流が引外し閾値より大きい場合に、アクチュエータ６０が引外される作動ステップ、
という連続ステップを含む。
【００４２】
制御方法の１つの可能性によると、作動ステップにおいて、制御ユニット６２は、規則的な時間的間隔でかつ永続的に、制御ユニット６２がデータ管理ユニット１８に電気的に接続されていることを確認し、制御ユニット６２とデータ管理ユニット１８の間の連係が中断された場合には、非常時作動モードに移行することができる。
【００４３】
制御ユニット６２とデータ管理ユニット１８の間の連係が切断された場合、制御方法は非常時作動モードに移行し、このモードでは、アクチュエータ６０が引外されて、遮断器が結び付けられている電気回路を開放して遮断器を保護するか、または、好ましくは標示灯を用いて制御ユニット６２とデータ管理ユニット１８の間の連係の中断についての警告がユーザに対して与えられる。標示灯は好ましくは、制御ユニット６２上および／または遮断器１００上に配設される。
【００４４】
別の可能性によると、非常時作動モードにおいて、制御ユニット６２とデータ管理ユニット１８の間の連係の状態を表わす情報を含むメッセージが、制御ユニット６２のエミッタを用いて、好ましくは制御ユニット６２および／または遮断器１００から情報を伝達されたまたはされていない視覚化装置に宛てて発出される。
【００４５】
非常時作動モードにおいて、対応する測定センサ１０が置換されるまで、または制御ユニット６２とデータ管理ユニット１８の間の連係が回復されるまで、好ましくは持続的にアクチュエータ６０は引外され、保護すべき電気回路は開放される。この作動原理は、作動の継続性よりも安全性を優先する。
【００４６】
実施形態に係る制御方法の別の可能性によると、ユーザは非常時作動モードにおいて、制御ユニット６２とデータ管理ユニット１８の間の連係の中断についての警告を受ける。この可能性によると、遮断器１００は、非常時作動モードで作動し続けるが、制御ユニット６２を用いて位相差を表わすデータおよび／または電流利得を表わすデータおよび／または電圧利得を表わすデータを取り出すこと、ひいては制御ユニット６２の校正を行うことはできない。この特徴に係る非常時作動モードでは、たとえ遮断器１００の引外し装置６０の引外しがさほど正確でなくても、遮断器１００の作動継続性は確保される。
【００４７】
１つの可能性によると、データ管理ユニット１８の不揮発性メモリ２０内に一意的通し番号を載せることができ、制御方法は、制御ユニット６２を用いて規則的な間隔で一意的通し番号を取出し、互いに前後して取出された２つの一意的通し番号が同じであることを確認することからなる１つのステップを含む。制御ユニット６２による一意的通し番号の２回の取出しの間で一意的通し番号の変化が検出された場合、制御ユニットとデータ管理ユニット１８を対にするステップを反復することができる。
【００４８】
当然のことながら、本発明は、添付図面で表現され説明された実施形態に限定されるものではない。特にさまざまな要素の構成の観点から見た、または等価の技術の置換による修正がひき続き可能であり、そのために本発明の保護領域から逸脱することはない。
【符号の説明】
【００４９】
１０  測定センサ
１２  電流測定ユニット
１４  変流器
１６  電圧測定ユニット
１８  管理ユニット
２０  不揮発性メモリ
１００  遮断器
【図１】
0006909293.tif 000002
【図２】
0006909293.tif 000003